(57)【要約】      （修正有）【課題】取付環境に応じた長さ調節が簡便にでき、施工性に優れる鎖樋を提供する。【解決手段】鎖樋を、短筒状体からなる雨水ガイド体と、該雨水ガイド体が係止される鎖樋素体１を上下方向に連設してなる鎖樋であって、該鎖樋素体１は、軸心を中心にして等角度に配設され、かつ下端央部位が軸心方向に貫通孔ｈを有する雌係合構造とされた枠体部１１と、その上端央部位にその軸心方向に上向きに突設され、軸心を中心にして等角度に配設された、貫通孔ｈに対し内方に変形しながら差し込め、差し込み後は形状を復元しうる、先端部に離脱防止片１２１をもつ雄係合構造とされた係着部１２とを備えてなるものとする。【選択図】図１
2010116722.tif 000002
【特許請求の範囲】
【請求項１】
短筒状体からなる雨水ガイド体と、該雨水ガイド体が係止される鎖樋素体を上下方向に連設してなる鎖樋であって、該鎖樋素体は、軸心を中心にして等角度に配設され、かつ下端央部位が軸心方向に貫通孔を有する雌係合構造とされた枠体部と、該枠体部の上端央部位にその軸心方向に上向きに突設され、軸心を中心にして等角度に配設された、貫通孔に対し内方に変形しながら差し込め、差し込み後は形状を復元しうる、先端部に離脱防止片をもつ雄係合構造とされた係着部とを備えることを特徴とする鎖樋。
【請求項２】
前記係着部と前記枠体部の間にリング部を介在させてなることを特徴とする請求項１に記載の鎖樋。
【請求項３】
前記枠体部が、その側部に雨水ガイド体を係止する突起または凹部を具備することを特徴とする請求項１または２に記載の鎖樋。
【発明の詳細な説明】
【技術分野】
【０００１】
本発明は、雨水を下方へ流下せしめる鎖樋に関するものである。
【背景技術】
【０００２】
従来より、鎖樋として、短筒状体と連結具とを一体に連結成形してなるものが知られている（例えば、特許文献１〜３参照）。
しかし、このような鎖樋では、任意生産ができない上に、施工時においては、住宅仕様の多様化等の取付環境に応じてその都度長さを調整する必要があり、例えば鎖樋の長さに比し屋根高さが低過ぎる物件に対しては鎖樋の切断加工を要し、それに伴い廃棄物が生じるのを免れないし、また、屋根高さが高過ぎる物件に対しては継ぎ足し部材を要し、施工工数が多大になる等の煩瑣な施工作業の労を免れないという問題がある。
【０００３】
【特許文献１】実開平５−５８７３３号公報
【特許文献２】実開平５−４０４５５号公報
【特許文献３】実開平５−７８２５号公報
【発明の開示】
【発明が解決しようとする課題】
【０００４】
本発明は、このような事情の下、取付環境に応じた長さ調節が簡便にでき、施工性に優れる鎖樋を提供することを課題とするものである。
【課題を解決するための手段】
【０００５】
本発明者らは、上記課題を解決すべく鋭意検討した結果、鎖樋を、短筒状体からなる雨水ガイド体と、それが係止される鎖樋素体とを連設してなるものとし、その鎖樋素体を、下端央部位に所定貫通孔を有する所定枠体部と、その上端央部位に突設された、上記貫通孔に対し内方に変形しながら差し込め、差し込み後は形状を復元しうる所定係着部とを備えてなるものとすることにより、上記課題が達成されることを見出し、この知見に基づいて本発明をなすに至った。
【０００６】
すなわち、本発明の第１の発明によれば、短筒状体からなる雨水ガイド体と、該雨水ガイド体が係止される鎖樋素体を上下方向に連設してなる鎖樋であって、該鎖樋素体は、軸心を中心にして等角度に配設され、かつ下端央部位が軸心方向に貫通孔を有する雌係合構造とされた枠体部と、該枠体部の上端央部位にその軸心方向に上向きに突設され、軸心を中心にして等角度に配設された、貫通孔に対し内方に変形しながら差し込め、差し込み後は形状を復元しうる、先端部に離脱防止片をもつ雄係合構造とされた係着部とを備えることを特徴とする鎖樋が提供される。
【０００７】
また、本発明の第２の発明によれば、第１の発明において、前記係着部と前記枠体部の間にリング部を介在させてなることを特徴とする鎖樋が提供される。
【０００８】
また、本発明の第３の発明によれば、第１または２の発明において、前記枠体部が、その側部に雨水ガイド体を係止する突起または凹部を具備することを特徴とする鎖樋が提供される。
【発明の効果】
【０００９】
本発明の鎖樋によれば、鎖樋素体を任意に取り付け、取り外すのが可能となり、施工の際、住宅仕様の多様化等の取付環境に応じて、例えば鎖樋の長さに比し屋根高さが低過ぎる場合には、所望長さになるように余分の鎖樋素体を取り外し、また、屋根高さが高過ぎる場合には、不足分の鎖樋素体を取り付ける作業を簡単に行えるなど、長さ調節が簡便にでき、施工性に優れ、従来のような切断された鎖樋廃棄物の発生等の不具合を生じないという顕著な効果が奏される。
また、本発明の鎖樋として、上記のようにリング部を介在させたものを用いることにより、該リング部の孔に、軒先等の集水個所、例えば軒先等に設けられた集水器に付設された鎖樋アダプターの鉤状係止部、例えばフック等を挿入して吊下げるなどして、鎖樋を鎖樋アダプターと容易に連結することができるという利点がある。
また、本発明の鎖樋によれば、その構成部材の鎖樋素体は、その材料を合成樹脂とすれば射出成形で容易に成形することができ、製造コストを抑えうるという利点がある。
【発明を実施するための最良の形態】
【００１０】
本発明の鎖樋において、それを特徴付ける鎖樋素体について、先ず、説明する。
鎖樋素体は、軸心を中心にして等角度に配設され、かつ下端央部位に軸心方向に貫通孔を有する枠体部と、該枠体部の上端央部位にその軸心方向に上向きに突設され、軸心を中心にして等角度に配設された、貫通孔に対し内方に変形しながら差し込め、差し込み後は形状を復元しうる、先端部に離脱防止片をもつ係着部とを備え、該貫通孔と係着部とは雌雄係合構造関係にあるものであり、好ましくは、枠体部について、上下端央部位に集結するフレームを有するものがよく、特に鳥かご様にフレーム数を少なくとも３つとし、各フレームを同一形態とするのが、構造簡単でフォルムが安定する上に、成形しやすく、成形コストも低くなるので好ましい。
上記フレーム数は、好ましくは３〜８、より好ましくは３〜６、特に好ましくは４である。
上記係着部としては、一対のもの、二対のもの或いは３つのものからなるのが構造簡単でよく、特に一対のものが好ましい。
前記枠体部においては、その側部に雨水ガイド体を係止する突起または凹部を具備させるのが好ましい。このようにすることにより、雨水ガイド体を、その下端開口縁や、その狭隘部、例えば下端開口のチュウリップ形状体の窄まった個所で鎖樋素体に係止させることができるようになる。
【００１１】
鎖樋素体は、その材料に合成樹脂や金属等、中でも弾性変形しうるものを用いることができる。
合成樹脂としては、熱可塑性樹脂や熱硬化性樹脂が挙げられ、中でも熱可塑性樹脂が好ましい。熱可塑性樹脂としては、例えばポリオレフィン、ポリスチレン、ポリ塩化ビニル、ナイロン等のポリアミド、ＡＢＳ、ＥＶＡ、ポリエチレンテレフタレート、ポリブチレンテレフタレート等のポリエステル、アクリル系樹脂、フッ素樹脂、ポリウレタン、ポリカーボネート、ポリフェニレンオキシド、ポリフェニレンスルフイド、ポリアセタール等が挙げられる。ポリオレフィンとしては具体的には、ＬＬＤＰＥ（線状低密度ポリエチレン）、ＨＤＰＥ（高密度ポリエチレン）、ＬＤＰＥ（低密度ポリエチレン）等のポリエチレン、ポリプロピレン、プロピレン・エチレンブロック共重合体、プロピレン・エチレンランダム共重合体、プロピレン・α−オレフィンブロック共重合体、プロピレン・α−オレフィンランダム共重合体等が挙げられ、中でも耐候性、耐衝撃性に優れるもの、特にポリ塩化ビニルや、その変性物、例えば塩素化ポリ塩化ビニル等が好ましい。
金属としては、りん青銅、黄銅、青銅、ステンレス鋼、ベリリウム銅、アルミニウム等が挙げられる。
鎖樋素体は射出成形体であるのが好ましく、例えば熱可塑性樹脂、中でもポリ塩化ビニルや、その変性物、例えば塩素化ポリ塩化ビニル等の射出成形体が挙げられる。
【００１２】
次に、鎖樋素体に係止される雨水ガイド体は、短筒状体からなり、その形状は特に限定されないが、円形状や多角形状（好ましくは正多角形状）の断面形状、中でも円筒状または漏斗状であるのが好ましく、下端開口のＵ字状、Ｖ字状、チュウリップ形状等であってもよい。また、雨水ガイド体は、装飾的模様が付されていてもよい。
【００１３】
鎖樋素体の連結は、その一方の枠体部の貫通孔に、他方の枠体部の係着部を貫通孔内方に変形させながら押し込むようにして差し込み、差し込み後は、係着部の先端が貫通孔外に押し出されるとともに、形状が係着部自体の弾性で復元され、係着部の先端の離脱防止片が貫通孔の上端縁部に当接し、確実に係着されるようになることで行われ、その作業前に予め、作業後作製された鎖樋において下方となる方の鎖樋素体に雨水ガイド体を係止させておけばよい。
【００１４】
本発明の鎖樋として、上記のようにリング部を介在させたものを用いると、該リング部の孔に、軒先等の集水個所、例えば軒先等に設けられた集水器等に付設された鎖樋アダプターの鉤状係止部、例えばフック等を挿入して吊下げるなどして、鎖樋は鎖樋アダプターと容易に連結される。
【実施例】
【００１５】
以下、図示の実施例により本発明をさらに詳しく説明するが、本発明はこの例によって何ら限定されるものではない。
図１は、４フレーム構造の鎖樋素体の一例を示す斜視図である。
この図において、鎖樋素体１は、４つのフレームＦを、上下端央部位に集結させ、十字状にクロスするように水平に下端央部位から外方へ直線的に延出された底部、十字状の最外端から軸心にほぼ平行に立ち上げらた側部、及びその先端部から円弧状に曲げられた天上部からなる形態とし、さらに、下端央部位を軸心方向に貫通孔ｈをもつリング様形態とし、枠体部１１となすとともに、枠体部１１の上端央部位に、その軸方向に上向きに一対の係着部１２を、軸心を中心にして等角度に突設させてなる。
一対の係着部１２は、鎖樋素体１を連結して連設する際に、一方の鎖樋素体１の該係着部１２の先端部が、他方の鎖樋素体１の貫通孔ｈに対し、内方に弾性変形可能な範囲内で変形しながら差し込める拡径サイズとされ、差し込み後はもとの形状に復元され、先端部に設けた離脱防止片１２１により確実に係止される。
枠体部におけるフレームＦの側部には、外側に雨水ガイド体係止用突起１３が設けられ、これにより鎖樋素体１に嵌合された雨水ガイド体が、その下端開口縁や、その狭隘部位で鎖樋素体に係止される。
【００１６】
図２は、図１の鎖樋素体１において、係着部１２について、それを、枠体部１１の上端央部位上に設けた、鎖樋アダプターと連結しうるように該アダプターの引掛部、例えばフック等に挿通しうる孔として機能するリング部１４の上に設けたものの斜視図であって、後述の図３のように鎖樋アダプターと連結される。
【００１７】
図３は、鎖樋アダプターに連結された本発明の鎖樋の一例の部分破断正面図であって、右半分が正面図で、左半分が透視断面図で表わされている。
この図において、鎖樋Ａは、複数の鎖樋素体のそれぞれ一つに雨水ガイド体が係止されたのち、鎖樋素体同士が前記したように連結されてなり、さらにこの鎖樋Ａは、さらに鎖樋アダプターＢに連結される。
【産業上の利用可能性】
【００１８】
本発明の鎖樋は、取付環境に応じて長さ調節を簡便に行うことができ、施工性に優れるし、また、その構成部材の鎖樋素体を、合成樹脂製とすれば、射出成形で容易に成形することができ、製造コストを抑えることができるので、産業上大いに有用である。
【図面の簡単な説明】
【００１９】
【図１】本発明の鎖樋に用いられる鎖樋素体の一例の斜視図。
【図２】本発明の鎖樋に用いられる鎖樋素体の別の例の斜視図。
【図３】鎖樋アダプターに連結された本発明の鎖樋の一例の部分破断正面図。
【符号の説明】
【００２０】
Ａ  鎖樋
１  鎖樋素体
１１枠体部
ｈ  貫通孔
Ｆ  フレーム
１２  係着部
１２１  離脱防止片
１３  雨水ガイド体係止用突起
１４  リング部
２  雨水ガイド体
Ｂ  鎖樋アダプター
【図１】
2010116722.tif 000003
【図２】
2010116722.tif 000004
【図３】
2010116722.tif 000005